【手続補正書】
【提出日】平成19年4月5日(2007.4.5)
【手続補正１】
【補正対象書類名】明細書
【補正対象項目名】特許請求の範囲
【補正方法】変更
【補正の内容】
【特許請求の範囲】
【請求項１】  探触子に装着された採卵針挿入ガイド内に形成された採卵針誘導路内もしくは探触子に設けられた採卵針誘導路内に挿入される採卵針用シースであり、該採卵針用シースは、前記採卵針誘導路内に挿入可能かつ内部に採卵針を挿入可能な中空状本体部と、前記採卵針誘導路への装着状態を保持するための装着保持部とを備え、かつ前記採卵針誘導路内に装着後に抜去可能であることを特徴とする採卵針誘導路内挿入用の採卵針用シース。
【請求項２】  前記シースの先端部は、前記誘導路の先端より突出し、かつ、該シースの突出部を用いてシースを引っ張ることにより、該シースを前記誘導路の先端側より抜去可能である請求項１に記載の採卵針用シース。
【請求項３】  前記誘導路への装着状態を保持するための装着保持部は、前記シースの後端に形成された該誘導路の内径より大きい拡径部と、前記シースの先端部に形成された折り曲げ可能部とにより構成されている請求項１または２に記載の採卵針用シース。
【請求項４】  前記誘導路への装着状態を保持するための装着保持部は、前記シースの先端部に形成された前記誘導路の内径より大きい大径部と、前記シースの後端部に形成された折り曲げ可能部とにより構成されている請求項１または２に記載の採卵針用シース。
【請求項５】  前記誘導路への装着状態を保持するための装着保持部は、前記シースの一端部に形成され、かつ前記誘導路の端部内に押し込み可能かつ押し込まれた状態にて前記誘導路の内壁面に当接することにより、該誘導路への装着状態を保持するリブにより構成されている請求項１または２に記載の採卵針用シース。
【請求項６】  前記誘導路への装着状態を保持するための装着保持部は、前記シースの一端部に形成され、かつ前記誘導路の端部内に押し込み可能かつ押し込まれた状態にて前記誘導路の内壁と嵌合することにより、該誘導路への装着状態を保持する拡径部により構成されている請求項１または２に記載の採卵針用シース。
【請求項７】  前記シースの後端部は、テーパー状に拡径する拡径部となっている請求項１ないし３のいずれかに記載の採卵針用シース。
【請求項８】  前記シースの後端には、拡径部を有しかつシースより取り外し可能なハブが装着されている請求項７に記載の採卵針用シース。
【請求項９】  前記シースの後端部には、該シースの全長より長い抜去用線状体が取り付けられている請求項１ないし７のいずれかに記載の採卵針用シース。
【手続補正２】
【補正対象書類名】明細書
【補正対象項目名】０００６
【補正方法】変更
【補正の内容】
【０００６】
そして、前記シースの先端部は、前記誘導路の先端より突出し、かつ、該シースの突出部を用いてシースを引っ張ることにより、該シースを前記誘導路の先端側より抜去可能であることが好ましい。
そして、前記誘導路への装着状態を保持するための装着保持部は、前記シースの後端に形成された該誘導路の内径より大きい拡径部と、前記シースの先端部に形成された折り曲げ可能部とにより構成されていることが好ましい。また、前記誘導路への装着状態を保持するための装着保持部は、前記シースの先端部に形成された前記誘導路の内径より大きい大径部と、前記シースの後端部に形成された折り曲げ可能部とにより構成されていてもよい。さらに、前記誘導路への装着状態を保持するための装着保持部は、前記シースの一端部に形成され、かつ前記誘導路の端部内に押し込み可能かつ押し込まれた状態にて前記誘導路の内壁面に当接することにより、該誘導路への装着状態を保持するリブにより構成されていてもよい。また、前記誘導路への装着状態を保持するための装着保持部は、前記シースの一端部に形成され、かつ前記誘導路の端部内に押し込み可能かつ押し込まれた状態にて前記誘導路の内壁と嵌合することにより、該誘導路への装着状態を保持する拡径部により構成されていてもよい。
【手続補正３】
【補正対象書類名】明細書
【補正対象項目名】００１３
【補正方法】変更
【補正の内容】
【００１３】
そして、シース１は、ガイド管３１に挿入後、ガイド管３１の後端がハブ１２に当接する状態までガイド管３１内に形成される誘導路（通路）３２内に挿入される。この状態にて、シース１の先端部（装着保持部１３の先端部）は、ガイド管３１より突出する。そして。図５に示すように、ガイド管３１より突出する部分の装着保持部１３をガイド管３１の後端側に折り曲げる。これにより、シース１は、先端側への移動が規制され、ハブ１２と共同することにより、ガイド管３１への装着状態を保持する。その後、図５に示すように、シース１内には、採卵針５が挿入される。そして、使用後、採卵針を抜去し、必要であればガイド管３１の先端部の汚れを拭き取った後、鉗子などにより折り曲げられている装着保持部１３を把持し引っ張ることにより、ハブ１２がシース本体１０より離脱し、シース本体をガイド管３１の先端側より抜去することができる。
【手続補正４】
【補正対象書類名】明細書
【補正対象項目名】００１７
【補正方法】変更
【補正の内容】
【００１７】
そして、シース４０は、ガイド管３１の先端側より、ガイド管３１の先端がシース４０の先端部４３に当接する状態までガイド管３１内に形成される誘導路３２内に挿入される。この状態にて、シース４０の後端部（言い換えれば、装着保持部４２の後端部）は、ガイド管３１より突出する。そして。図８に示すように、ガイド管３１より突出する部分の装着保持部４２をガイド管３１の先端側に折り曲げる。これにより、シース４０は、ガイド管３１に装着されるとともに、大径部４３と共同することにより、装着状態を保持する。その後、シース４０内には、採卵針が挿入される。そして、使用後、採卵針を抜去し、必要であればガイド管３１の先端部の汚れを拭き取った後、鉗子などにより折り曲げられている装着保持部４２をシース４０の軸方向とほぼ並行となる状態に戻し、鉗子などにより、シース４０の大径部４３を保持し引っ張ることにより、シース４０をガイド管３１の先端側より抜去することができる。
【手続補正５】
【補正対象書類名】明細書
【補正対象項目名】００３０
【補正方法】変更
【補正の内容】
【００３０】
そして、前記シースの先端部は、前記誘導路の先端より突出し、かつ、該シースの突出部を用いてシースを引っ張ることにより、該誘導路内より抜去可能であるとすることにより、シースの先端部に付着した生体内分泌物の採卵針誘導路内への侵入を防止することができる。
【手続補正６】
【補正対象書類名】明細書
【補正対象項目名】００３１
【補正方法】変更
【補正の内容】
【００３１】
また、前記誘導路への装着状態を保持するための装着保持部は、前記シースの後端に形成された該誘導路の内径より大きい拡径部と、前記シースの先端部に形成された折り曲げ可能部とにより構成することにより、シースの採卵針誘導路内への装着が容易となる。
【手続補正７】
【補正対象書類名】明細書
【補正対象項目名】００３２
【補正方法】変更
【補正の内容】
【００３２】
また、前記誘導路への装着状態を保持するための装着保持部は、前記シースの先端に形成された前記誘導路の内径より大きい拡径部と、前記シースの後端部に形成された折り曲げ可能部とにより構成することにより、シースの採卵針誘導路内への装着が容易となる。
【手続補正８】
【補正対象書類名】明細書
【補正対象項目名】００３３
【補正方法】変更
【補正の内容】
【００３３】
また、前記誘導路への装着状態を保持するための装着保持部は、前記シースの一端部に形成され、かつ前記誘導路の端部内に押し込み可能かつ押し込まれた状態にて前記誘導路の内壁面に当接することにより、該誘導路への装着状態を保持するリブにより構成することにより、シースの採卵針誘導路内への装着が容易となる。
【手続補正９】
【補正対象書類名】明細書
【補正対象項目名】００３４
【補正方法】変更
【補正の内容】
【００３４】
また、前記誘導路への装着状態を保持するための装着保持部は、前記シースの一端部に形成され、かつ前記誘導路の端部内に押し込み可能かつ押し込まれた状態にて前記誘導路の内壁と嵌合することにより、該誘導路への装着状態を保持する拡径部により構成することにより、シースの採卵針誘導路内への装着が容易となる。